(57)【要約】【課題】検査適性を損なうことなく操作性と製品適性とを両立した撮影モード切替スイッチの操作部材を提供する。【解決手段】操作部材８の前面上側には、操作可能な全ての方向への指掛かりを得るために椀状の隆起部８ｂが形成されている。この隆起部８ｂは階段状の段差により形成され操作性が向上されている。また、隆起部８ｂの先端には、動作検査機の治具１４が挿入される穴８ｃが形成されている。レンズ付きフイルムユニットの完成後には、穴８ｃに動作検査機のピン形状をした治具１４が挿入され、この治具１４が操作部材８と同様の直線スライドと回動スライドとを行う。これにより、操作部材８の動作によって撮影モードの切り替えが正常に行なわれるかが確かめられる。【選択図】        図２
2004151617.tif 000002
【特許請求の範囲】
【請求項１】
少なくとも２種類の撮影モードを切り替えるために、それぞれの撮影モードを設定するセット位置間で移動自在とされ、この移動が同一面内で行なわれる撮影モード切替スイッチの操作部材において、
移動操作時の指掛かりとなる椀状の隆起部が形成され、この隆起部にスイッチ動作を検査するための治具と係合する係合部が設けられていることを特徴とする撮影モード切替スイッチの操作部材。
【請求項２】
前記隆起部は、階段状に形成されていることを特徴とする請求項１記載の撮影モード切替スイッチの操作部材。
【請求項３】
前記隆起部の一部を切り欠いたことを特徴とする請求項１又は２記載の撮影モード切替スイッチの操作部材。
【請求項４】
前期係合部は、前期治具が挿入される凹部であることを特徴とする請求項１ないし３のいずれかに記載の撮影モード切替スイッチ。
【発明の詳細な説明】
【０００１】
【発明の属する技術分野】
本発明は、撮影モード切替スイッチの操作部材に関するものである。
【０００２】
【従来の技術】
簡単な撮影機構が組み込まれ、写真フイルムが予め装填されたレンズ付きフイルムユニットが本出願人より製造・販売されている。このようなレンズ付きフイルムユニットにはストロボ装置が組み込まれたものがあり、ユーザーはストロボ充電スイッチの操作部材を操作することにより、ストロボ発光、非発光を選択することができる。
【０００３】
ストロボ充電スイッチの操作部材には、押しボタン式やスライド式のものがある。一般的なスライド式の操作部材には、スライド方向と直交する方向に延びたリブが設けられてる。このリブはスライド操作時の指掛かりになるとともに、スイッチ動作検査機の治具が挟み込まれる。スイッチ動作の検査では、リブを挟み込んだ治具は操作部材の移動操作を行なう。この操作部材の移動によってスイッチの切り替えが正常に行なわれるかが確認される。
【０００４】
また、最近ではレンズ付きフイルムユニットの多機能化が図られており、３種類の撮影モードを有しているものがある（例えば、特許文献１参照）。このレンズ付きフイルムユニットは、操作部材を一つの直線方向にスライドさせ、それぞれの撮影モードを設定するセット位置で係止させることにより、３種類の撮影モードを切り替えている。このように操作部材のスライド動作が１つの直線方向だけであるので、上記ストロボ充電スイッチの操作部材と同様のリブが設けられている。
【０００５】
【特許文献１】
特開２０００−１６２７３８号公報
【０００６】
【発明が解決しようとする課題】
スライド動作が一つの直線方向に限られているスイッチの操作部材において、操作部材に設けられたリブによって、操作性と検査機適性を与えていた。しかし、操作性と検査機適性を向上させるためにリブを高くすると、包装に対する接触圧が高くなり、製品出荷時の振動等により外部包材とこすれて、粉吹きや破れを引き起こすことや、自動販売機内での製品同士の引っ掛かりの原因となることがある。そのため、これらの問題が発生しないリブ高さに設定され、操作性が多少犠牲にされることが多い。更に、従来のスライド方向と直交する方向に延びたリブでは、直線方向の組み合わせや直線方向と回動方向との組み合わせなどのようにスライド方向が複数ある場合、全てのスライド操作に対する指掛かりを得ることができず操作性が劣ってしまう。
【０００７】
本発明は上記背景を考慮してなされたもので、検査適性を損なうことなく操作性と製品適性とを両立した撮影モード切替スイッチの操作部材を提供することを目的とする。
【０００８】
【課題を解決するための手段】
上記目的を達成するために、本発明の撮影モード切替スイッチの操作部材には、移動操作時の指掛かりとなる椀状の隆起部が形成され、この隆起部にスイッチ動作を検査するための治具と係合する係合部が設けられている。また、前記隆起部を階段状に形成したり、一部を切り欠くことにより指掛かり性を向上させている。また、前期係合部を特に凹部としている。
【０００９】
【発明の実施の形態】
図１は、本発明を実施した撮影モード切替スイッチの操作部材を備えたレンズ付きフイルムユニットの外観を示している。レンズ付きフイルムユニット２は、各種撮影機構が組み込まれたユニット本体３と、このユニット本体３の製造時に装填されたフイルムパトローネと、ユニット本体３の外周に巻き付けられるようにして貼付されるラベル４とからなる。ラベル４には、ユニット本体３の各部を露呈させるための開口が形成されている。
【００１０】
ユニット本体３の前面には、撮影レンズ５，ファインダ６，ストロボ発光部７，撮影モード切替スイッチの操作部材８等が設けられている。ユニット本体３の上面には、シャッタボタン９，カウンタ表示窓１０，シグナル用開口１１等が設けられている。ユニット本体３の背面からは、撮影後のフイルム巻き上げに用いられる巻上げノブ１２の一部が露呈されている。
【００１１】
撮影モード切替スイッチの操作部材８は略小判形状をしており、ユニット本体３の前面に形成された操作開口１３内で移動自在とされている。この操作部材８の操作に連動して、ユニット本体３内部に設けられ、ストロボの発光、非発光や絞り開口、シャッタ速度等の撮影状態を設定する複数の撮影モード切替スイッチがオン／オフしている。
【００１２】
操作部材８が操作開口１３内の下方の第１セット位置にある際には、ストロボＯＦＦ及び小絞り及び高速シャッタの日中撮影モードとなり、第１セット位置から上方に向けて直線スライドされた第２セット位置にある際には、ストロボ通常発光及び小絞り及び高速シャッタの日中シンクロ撮影モードとなり、第２セット位置から図中時計方向に回動スライドされた第３セット位置にある際には、ストロボ減光発光及び大絞り及び低速シャッタの夜間シンクロ撮影モードとなる。
【００１３】
本発明の第１実施形態である操作部材とスイッチ動作検査機の治具とを示す図２において、操作部材８の前面下側には、上方向スライド操作時の指掛かりを得るために湾曲状のくぼみ８ａが形成されている。前面上側には、操作可能な全ての方向への指掛かりを得るために椀状の隆起部８ｂが形成されている。この隆起部８ｂは階段状の段差により形成され指掛かり性が向上されている。
【００１４】
また、隆起部８ｂの先端には、スイッチ動作検査機の治具１４が挿入される穴８ｃが形成されている。レンズ付きフイルムユニット２の完成後には、穴８ｃにピン形状をした治具１４が挿入され、この治具１４が操作部材８と同様の直線スライドと回動スライドとを行う。これにより、操作部材８のスライド動作によって撮影モードの切り替えが正常に行なわれるかが検査される。
【００１５】
以後説明する各実施形態では、第１実施形態と同様な構成であるレンズ付きフイルムユニットにおいて、撮影モード切替スイッチの操作部材の形状がそれぞれ異なっている。
【００１６】
本発明の第２実施形態である操作部材を示す図３において、操作部材１６の前面下側には、上方向スライド操作時の指掛かりを得るために湾曲状のくぼみ１６ａが形成されている。前面上側には、操作可能なすべての方向への操作時の指掛かりを得るために椀状の隆起部１６ｂが形成されている。この隆起部１６ｂは階段状に形成されており、段の角が丸く加工されている。これにより、指触りを悪くすることなく指掛かり性が向上されている。また、隆起部１６ｂの先端には穴１６ｃが形成されており、第１実施形態と同様の方法によりスイッチ動作の検査が行なわれる。
【００１７】
本発明の第３実施形態である操作部材を示す図４において、操作部材１７の前面下側には、上方向スライド操作時の指掛かりを得るために湾曲状のくぼみ１７ａが形成されている。前面上側には隆起部１７ｂが形成されており、階段状に形成された椀状の隆起部の両側を切り欠いた形状をしている。これにより、上下方向スライド操作時の指掛かりが得られ、特に回動スライド操作時の指掛かりは隆起部両側の切り欠き部分により向上される。また、隆起部１７ｂの先端には穴１７ｃが形成されており、第１実施形態と同様の方法によりスイッチ動作の検査が行なわれる。
【００１８】
本発明の第４実施形態である操作部材を示す図５において、操作部材１８の前面には、隆起部１８ａが形成されている。この隆起部１８ａは、操作部材１８の前面を椀状に隆起させ、この隆起部の上側と下側とを切り欠いた形状をしており、上下方向操作時の指掛かりが得られる。隆起部１８ａの上部両側には、突出部１８ｂが設けられており、回動スライド操作時の指掛かりが得られる。突出部１８ｂの頭は、隆起部１８ａのよりも低い位置にあり滑らかに加工されている。これにより、外部包材への接触圧を抑えている。また、隆起部１８ａの先端には、穴１８ｃが形成されており、第１実施形態と同様の方法によりスイッチ動作の検査が行なわれる。
【００１９】
なお、上記各実施形態では、スイッチ動作を検査するための治具と係合する係合部を凹部である穴としているが凸部等にしたとしても、操作性と検査適性とを有しているので問題はない。ただし、係合部を凹部とした方が、外部包材への接触圧を高くすることなく外部方材の粉吹きや破れを防ぐことができる。また、自動販売機内で製品同士が引っ掛かることもない。更に、検査機の治具は、凹部に挿入されるピン形状のものに限定できるので、操作部材の形状を変更したとしても、同じ治具を流用することができる。また、スイッチ動作の検査において、治具により係合部に傷が付いたとしても、係合部が凹部であれば、傷が目立たずに済む等の有利な点が多くあることから、係合部は凹部とした方が好ましい。
【００２０】
また、上記各実施形態はレンズ付きフイルムユニットにより説明しているが、本発明は銀塩カメラやデジタルカメラ等の撮影モード切替スイッチの操作部材に適用しても良い。
【００２１】
【発明の効果】
以上説明したように、本発明では、撮影モード切替スイッチの操作部材において、椀状の隆起部を形成したことにより、操作時の指掛かりが得られるとともに、外部包材の粉吹きや破れを防ぐことができる。また、自動販売機内で製品同士が引っ掛かることもない。また、隆起部にスイッチ動作を確認するための動作検査機の治具と係合する係合部を設けたことから検査適性も有している。
【図面の簡単な説明】
【図１】本発明の第１実施形態である撮影モード切替スイッチの操作部材を備えたレンズ付きフイルムユニットを示す外観斜視図である。
【図２】第１実施形態の操作部材とスイッチ動作検査機の治具とを示す斜視図である。
【図３】第２実施形態の操作部材を示す斜視図である。
【図４】第３実施形態の操作部材を示す斜視図である。
【図５】第４実施形態の操作部材を示す斜視図である。
【符号の説明】
８、１６、１７、１８  操作部材
８ｂ、１６ｂ、１７ｂ、１８ａ  隆起部
８ｃ、１６ｃ、１７ｃ、１８ｃ  穴
１４  治具
【図１】
2004151617.tif 000003
【図２】
2004151617.tif 000004
【図３】
2004151617.tif 000005
【図４】
2004151617.tif 000006
【図５】
2004151617.tif 000007